(57)【要約】      （修正有）【課題】外袋を濡らしたり、汚したりすることなく内袋のみを効率的に、且つ確実に洗浄する。【解決手段】外袋２に対して、防水性、及び柔軟性を有する合成樹脂材製の内袋３が出し入れ自在に挿入された二重構造の袋である。外袋２に挿入された内袋３は、連結具５により保持されている。【選択図】図２
0003135329.tif 000002
【実用新案登録請求の範囲】
【請求項１】
開口部を備えた外袋に対し、防水性、及び柔軟性を有する合成樹脂材を用いて、開口部を備えて形成された内袋が、開口部の開口方向を前記外袋の開口部の開口方向と同方向にして、出し入れ自在に挿入された二重構造とし、
前記内袋は、前記外袋とに亘って設けられた、掛合側部材と、該掛合側部材が掛合する被掛合側部材との２部材からなり、これら２部材が掛脱自在な掛合構造の連結具、又は、嵌合側部材と、該嵌合側部材が嵌合する被嵌合側部材との２部材からなり、これら２部材が嵌脱自在な嵌合構造の連結具を介して装着されている袋。
【請求項２】
前記外袋の開口部に、該開口部を開閉可能に塞ぐ蓋体を備え、該蓋体が防水性、及び柔軟性を有する合成樹脂材製である請求項1に記載の袋。
【請求項３】
前記外袋が布地を用いて縫製されたものである請求項1又は請求項２に記載の袋。
【考案の詳細な説明】
【技術分野】
【０００１】
本考案は、外袋と内袋からなる二重構造の袋に関する。
【背景技術】
【０００２】
外袋と内袋からなる二重構造の袋として、例えば、内袋を防水性、及び柔軟性を有する合成樹脂材で形成して防水性を持たせることにより、水気のある収納物を収納しても、該収納物の水分が外袋側に滲み出さず、袋から漏水しないようにしたものが知られている。
特に、魚類や甲殻類、更には、肉類等のように、匂いを含んだ水分がある収納物を収納する際に、水分による漏水防止ばかりでなく、外袋に匂いがつくことも防止することができ、しかも、内袋内に残留した水分を雑巾等で拭き取ることができるため、袋を清潔に保つという点で便利なものである。
【考案の開示】
【考案が解決しようとする課題】
【０００３】
ところで、内袋に匂いを確実に残さないように洗浄するには、前記した匂いを含んだ水分を雑巾等で拭き取るという行為だけでは、難しいものである。
すなわち、内袋の水分は、雑巾に吸い取られることで取り除かれるが、拭き取り中に吸い取れられた水分が逆流したり、吸い取りが不十分で拭き残しがあったりするため、何度も拭き取りを行う必要がある。
しかしながら、雑巾には、匂いを含んだ水分が吸い取られており、その水分を含んだ雑巾を単に絞っても、完全に水分をなくすことはできないし、雑巾に付いた匂いも取れないため、この雑巾で拭き取りを行っても、匂いが含まれた水分を内袋に擦り付けているのと同じことであった。
又、柔軟性を有する内袋である場合、例えば、拭き取り中に内袋に皺が生じて拭き難かったり、皺の部分に拭き残しが生じたりすることもある。
そのため、雑巾を何度も水ですすいだり、新たな雑巾を用いたりする必要があるし、内袋に皺を生じさせないようにする必要もあって、内袋に匂いを残さず完全に拭き取る方法として非効率的なものであった。
又、内袋に匂いを確実に残さないようにするのに最も効果的な方法は、内袋を洗剤で洗うと共に、該洗剤を水で流す方法である。
しかしながら、外袋が布地である場合、内袋を洗っている最中に洗剤や水により外袋が濡れてしまい、洗う度に外袋を乾かす必要があるため、しょっちゅう使用する袋を洗うのには適していないものと思われる。
【０００４】
尚、本考案に関連する先行技術文献のうち、出願人が当該特許出願時に知っているものがないので、開示すべき先行技術文献情報はない。
【０００５】
本考案は、外袋を濡らしたり、汚したりすることなく内袋のみを効率的に、且つ確実に洗浄することを課題とし、この課題を解決した袋の提供を目的とする。
【課題を解決するための手段】
【０００６】
前記目的を達成するために、本考案が採用した技術的手段は、開口部を備えた外袋に対し、防水性、及び柔軟性を有する合成樹脂材を用いて、開口部を備えて形成された内袋が、開口部の開口方向を前記外袋の開口部の開口方向と同方向にして、出し入れ自在に挿入された二重構造とし、前記内袋は、前記外袋とに亘って設けられた、掛合側部材と、該掛合側部材が掛合する被掛合側部材との２部材からなり、これら２部材が掛脱自在な掛合構造の連結具、又は、嵌合側部材と、該嵌合側部材が嵌合する被嵌合側部材との２部材からなり、これら２部材が嵌脱自在な嵌合構造の連結具を介して装着されている袋。
【０００７】
又、前記外袋の開口部に、該開口部を開閉可能に塞ぐ蓋体を備え、該蓋体が防水性、及び柔軟性を有する合成樹脂材製である袋にしたことである。
【０００８】
又、前記外袋が布地を用いて縫製されたものである袋にしたことである。
【０００９】
本考案でいう「袋」は、収納物を収納する機能を有する袋状の形態であればよく、例えば、各種袋状の個人用、又は業務用のバッグが挙げられ、具体的には、手提げ部を備えた各種手提げバッグ、又は、背負い部を備えた各種リュックサック、あるいは、肩掛け部を備えた各種ショルダーバッグ等のようなものである。
又、本考案でいう「防水性、及び柔軟性を有する合成樹脂材」とは、例えばフィルム材やビニール材等の合成樹脂材が挙げられる。
又、本考案でいう「掛合側部材と、該掛合側部材が掛合する被掛合側部材との２部材からなり、これら２部材が掛脱自在な掛合構造の連結具」とは、例えば、面ファスナー構造、ボタンとボタン穴構造等のものが挙げられる。
又、本発明でいう「嵌合側部材と、該嵌合側部材が嵌合する被嵌合側部材との２部材からなり、これら２部材が嵌脱自在な嵌合構造の連結具」とは、例えば、ホックのような雄雌嵌合構造のものが挙げられる。
【考案の効果】
【００１０】
本考案の袋によれば、外袋を濡らしたり、汚したりすることなく内袋のみを効率的に、且つ確実に洗浄することができる。
【考案を実施するための最良の形態】
【００１１】
以下、本考案の袋を実施するための最良の形態を図面に基づいて説明する。
図中、符号１は袋、２は外袋、３は内袋、４は連結具である。
【００１２】
外袋２は、袋１の表側を構成するものであり、比較的丈夫でありながら変形自在な布地であるデニム地等を用いて所定形状に裁断・縫製すると共に、手提げ部２１を備えてなるものである。
すなわち、外観上は、通常のトートバッグであり、しかも、デニム地等の丈夫な布地を用いているので、重量のある収納物を収納しても破損の可能性は低い上に、変形自在であるので、多様な形状の収納物にも変形することで対応することができる。
【００１３】
又、外袋２には、図示において上方に設けられた開口部２２を開閉可能に塞ぐ蓋体５が設けられている。
蓋体５は、防水性、及び柔軟性を有する合成樹脂材を用いて、周囲長を前記開口部２２の周囲長と同長とした環状に形成したものであり、この蓋体５の一方側端（下端側）を開口部２２の内周に縫付け等により固着している。
又、蓋体５の他方側端（上端側）は、その周囲に紐５１を通してなる巾着構造にしており、前記紐５１を締めたり、緩めたりすることによって、前記開口部２２を開閉するようにしている。
すなわち、この蓋体５を閉めれば、袋１に収納された収納物を保護すると共に、袋１外への落下を防止することができ、開ければ収納物の出し入れができる。
又、蓋体５を使用しない場合には、袋１内に折り込んで蓋体５を露出しないようにすることができる（図示せず）。
【００１４】
内袋３は、防水性、及び柔軟性を有する合成樹脂材を用いて、前記外袋２の内面に適合する大きさとし、一端側（上端側）に開口部３１を設けて形成されている。
前記内袋３は、前記開口部３１の開口方向を外袋２の開口部２１の開口方向と同方向として、外袋２に対して出し入れ自在に挿入されており、挿入状態において二重構造の袋１を構成し、抜き取れば、外袋２のみの袋１とすることができる。
すなわち、袋１に水気のある収納物を収納する場合には、内袋３を外袋２に対して挿入し、水気のない収納物を収納する場合や、内袋３を洗浄する場合には、内袋３を外袋２から取り出せばよい。
そして、内袋３を取り出して洗浄することによれば、該内袋３を洗剤で洗浄し、水で流すという丸洗いができるので、外袋２を濡らしたり、汚したりせずに効率的、且つ確実な洗浄ができる。
【００１５】
本形態の連結具４は、面ファスナー構造のものであり、該面ファスナーの一方の帯部４１を前記外袋２の開口部２２の内周面全域に固着し、他方の帯部４２を内袋３の開口部３１の外周面全域に固着してある。
又、前記帯部４１と帯部４２の固着部位は、内袋３を外袋２に挿入した際に、両帯部４１，４２が対面する部位であって、内袋３を挿入すると同時に、両帯部４１，４２が掛合可能状態となるようにしている。
この連結具４によれば、外袋２に対する内袋３の挿入状態を保持しているので、使用中において外袋２と内袋３との分離を防止できる上に、面ファスナー構造であるので、連結具４の掛脱を簡単、且つ迅速に行うことができ、簡単、且つ迅速な掛脱により内袋３の出し入れを迅速に行うことができる。
【００１６】
尚、本考案は、例示した実施の形態に限定するものではなく、実用新案登録請求の範囲に記載された内容から逸脱することなく、他の構成による実施も可能である。
例えば、本形態では、袋を外袋に手提げ部を備えたトートバッグ状を呈する形態のもので例示したが、本考案は、例示した形態のものに限るものではなく、外袋と内袋との二重構造の袋であればよい。
又、本形態では、蓋体の開閉構造を巾着構造として例示したが、本考案では、例示した巾着構造に限るものではなく、例えば、面ファスナー構造、ボタンとボタン穴構造等のような掛合構造、あるいは、ホックのような雄雌嵌合構造のものが挙げられる。
又、水気のない収納物を収納する場合でも、内袋を外袋に挿入した状態として収納してもよい。
又、本形態では、面ファスナー構造の連結具として例示したが、本考案では、例示した面ファスナー構造に限るものではなく、例えば、ボタンとボタン穴構造等のような掛合構造、あるいは、ホックのような雄雌嵌合構造のものが挙げられる。
【図面の簡単な説明】
【００１７】
【図１】本考案に係る袋の一部切欠正面図。
【図２】同、外袋から内袋を出した状態の一部切欠正面図。
【符号の説明】
【００１８】
１：袋
２：外袋
３：内袋
４：連結具
５：蓋体
２２：開口部
３１：開口部
４１：帯部
４２：帯部
５１：紐
【図１】
0003135329.tif 000003
【図２】
0003135329.tif 000004